(57)【要約】【課題】Ｎチャンネルの再生出力と２チャンネルの再生出力との音声レベルの差が大きくなるのを抑制することが可能な音声ミキシング処理装置及び音声ミキシング処理方法を提供する。【解決手段】ミキシング部６３は、Ｎチャンネルの音声データと二つの２チャンネルの音声データとを所定のミキシング係数に基づいてミックスして、これらの音声データをミックスしたＮチャンネルの音声データを出力する。ダウンミックス部６７は、ミキシング部６３から出力されたＮチャンネルの音声データを２チャンネルの音声データにダウンミックスして、ダウンミックスした２チャンネルの音声データを出力する。ゲイン調整部６９は、第１のデコード部５５から出力されたゲイン調整情報に基づいて、ダウンミックス部６７から出力された２チャンネルの音声データのゲインを調整して、ゲイン調整した２チャンネルの音声データを出力する。【選択図】図３
2008092072.tif 000002
【特許請求の範囲】
【請求項１】
Ｎ（Ｎ≧３）チャンネルの音声データと、２チャンネルの音声データとを入力する入力手段と、
前記入力手段により入力された前記Ｎチャンネルの音声データと前記２チャンネルの音声データとをミックスして、ミックスされたＮチャンネルの音声データを出力するミキシング手段と、
前記ミキシング手段から入力された前記Ｎチャンネルの音声データから、ダウンミックスされ且つゲイン調整された２チャンネルの音声データを得て、該音声データを出力するダウンミックス手段と、を備えていることを特徴とする音声ミキシング処理装置。
【請求項２】
前記入力手段には、エンコードされたＮチャンネルの音声データとエンコードされた２チャンネルの音声データが入力され、
前記入力手段は、入力された前記エンコードされたＮチャンネルの音声データをデコードする第１のデコード部と、入力された前記エンコードされた２チャンネルの音声データをデコードする第２のデコード部と、を有しており、
前記第１のデコード部は、前記エンコードされたＮチャンネルの音声データに含まれているゲイン調整情報を取得して、前記ダウンミックス手段に出力し、
前記ダウンミックス手段は、前記第１のデコード部から出力された前記ゲイン調整情報に基づいて、ゲインの調整を行うことを特徴とする請求項１に記載の音声ミキシング処理装置。
【請求項３】
Ｎ（Ｎ≧３）チャンネルの音声データと、２チャンネルの音声データとを入力する入力手段と、
前記入力手段により入力された前記Ｎチャンネルの音声データと前記２チャンネルの音声データとをミックスして、ミックスされたＮチャンネルの音声データを出力する第１のミキシング手段と、
前記入力手段により入力された前記Ｎチャンネルの音声データから、ダウンミックスされ且つゲイン調整された２チャンネルの音声データを得て、該音声データを出力するダウンミックス手段と、
前記入力手段により入力された前記２チャンネルの音声データと前記ダウンミックス手段から入力された前記ダウンミックスされ且つゲイン調整された２チャンネルの音声データとをミックスして、ミックスされた２チャンネルの音声データを出力する第２のミキシング手段と、を備えていることを特徴とする音声ミキシング処理装置。
【請求項４】
前記第１及び第２のミキシング手段の前段に位置すると共に、該第１及び第２のミキシング手段に入力される前記各音声データの音声レベルをユーザの操作に基づいて調整するレベル調整手段を更に備えていることを特徴とする請求項３に記載の音声ミキシング処理装置。
【請求項５】
前記入力手段には、エンコードされたＮチャンネルの音声データとエンコードされた２チャンネルの音声データが入力され、
前記入力手段は、入力された前記エンコードされたＮチャンネルの音声データをデコードする第１のデコード部と、入力された前記エンコードされた２チャンネルの音声データをデコードする第２のデコード部と、を有しており、
前記第１のデコード部は、前記エンコードされたＮチャンネルの音声データに含まれているゲイン調整情報を取得して、前記ダウンミックス手段に出力し、
前記ダウンミックス手段は、前記第１のデコード部から出力された前記ゲイン調整情報に基づいて、ゲインの調整を行うことを特徴とする請求項３又は４に記載の音声ミキシング処理装置。
【請求項６】
前記入力手段は、前記第１及び第２のデコード部によりデコードされた前記各音声データのサンプリング周波数を所定のサンプリング周波数にそれぞれ変換するサンプリング周波数変換部を更に有しており、
前記ダウンミックス手段は、前記ダウンミックスされ且つゲイン調整された２チャンネルの音声データのサンプリング周波数を前記所定のサンプリング周波数に変換するサンプリング周波数変換部を有していることを特徴とする請求項５に記載の音声ミキシング処理装置。
【請求項７】
前記ダウンミックス手段は、入力された前記Ｎチャンネルの音声データをダウンミックスするダウンミックス部と、前記ダウンミックス部によりダウンミックスされた２チャンネルの音声データのゲインを調整するゲイン調整部と、を有していることを特徴とする請求項１又は３に記載の音声ミキシング処理装置。
【請求項８】
前記ダウンミックス手段は、入力された前記Ｎチャンネルの音声データのゲインを調整するゲイン調整部と、前記ゲイン調整部によりゲイン調整されたＮチャンネルの音声データをダウンミックスするダウンミックス部と、を有していることを特徴とする請求項１又は３に記載の音声ミキシング処理装置。
【請求項９】
前記入力手段には、エンコードされたＮチャンネルの音声データとエンコードされた２チャンネルの音声データが入力され、
前記入力手段は、入力された前記エンコードされたＮチャンネルの音声データをデコードする第１のデコード部と、入力された前記エンコードされた２チャンネルの音声データをデコードする複数の第２のデコード部と、を有しており、
前記第１のデコード部は、前記エンコードされたＮチャンネルの音声データに含まれているゲイン調整情報を取得して、前記ゲイン調整部に出力し、
前記ゲイン調整部は、前記第１のデコード部から出力された前記ゲイン調整情報に基づいて、ゲインの調整を行うことを特徴とする請求項７又は８に記載の音声ミキシング処理装置。
【請求項１０】
Ｎ（Ｎ≧３）チャンネルの音声データと、２チャンネルの音声データとを入力する第１のステップと、
前記第１のステップで入力された前記Ｎチャンネルの音声データと前記２チャンネルの音声データとをミックスして、ミックスされたＮチャンネルの音声データを出力する第２のステップと、
前記第２のステップで出力された前記Ｎチャンネルの音声データから、ダウンミックスされ且つゲイン調整された２チャンネルの音声データを得て、該音声データを出力する第３のステップと、を備えていることを特徴とする音声ミキシング処理方法。
【請求項１１】
Ｎ（Ｎ≧３）チャンネルの音声データと、２チャンネルの音声データとを入力する第１のステップと、
前記第１のステップで入力された前記Ｎチャンネルの音声データと前記２チャンネルの音声データとをミックスして、ミックスされたＮチャンネルの音声データを出力する第２のステップと、
前記第１のステップで入力された前記Ｎチャンネルの音声データから、ダウンミックスされ且つゲイン調整された２チャンネルの音声データを得て、該音声データを出力する第３のステップと、
前記第１のステップで入力された前記２チャンネルの音声データと前記第３のステップで出力された前記ダウンミックスされ且つゲイン調整された２チャンネルの音声データとをミックスして、ミックスされた２チャンネルの音声データを出力する第４のステップと、を備えていることを特徴とする音声ミキシング処理方法。
【発明の詳細な説明】
【技術分野】
【０００１】
本発明は、例えば光ディスク装置等の再生装置に使用される音声ミキシング処理装置及び音声ミキシング処理方法に関する。
【背景技術】
【０００２】
ＨＤ（high definition）ＤＶＤやblue-rayディスク等と称される、ハイビジョン対応の次世代ＤＶＤ規格では、再生装置に対して、Ｎ（Ｎ≧３）チャンネルの音声出力とダウンミックスした２チャンネルの音声出力とを同時に実現することが求められる。このため、再生装置に、Ｎチャンネルの音声データと、当該音声データをダウンミックスした２チャンネルの音声データとを同時に出力する音声ミキシング処理装置を使用することが考えられている（例えば、特許文献１参照）。
【０００３】
特許文献１に記載された音声ミキシング処理装置では、複数の音声データをミキシングして出力するミキシング手段と、ミキシング手段から出力された音声データをダウンミックスして出力するダウンミックス手段とを備えている。音声ミキシング処理装置からは、ミキシング手段からの音声データと、ダウンミックス手段からの音声データとが出力される。
【特許文献１】特開２００６−１９７３９１号公報
【発明の開示】
【発明が解決しようとする課題】
【０００４】
ところで、Ｎチャンネルの音声データから２チャンネルの音声データにダウンミックスするための演算処理は、一般に、行列演算により行なわれる。すなわち、Ｎチャンネルの音声データを所望の行列演算式に基づいて演算処理することにより、２チャンネルの音声データが得られる。この場合、行列演算によりＮチャンネルの音声データが加算されるため、ダウンミックスされた２チャンネルの音声データによる２チャンネルの再生出力の音声レベルは、Ｎチャンネルの音声データによるＮチャンネルの再生出力の音声レベルに比して大きくなる。
【０００５】
このため、再生装置の音声出力をＮチャンネル出力と２チャンネル出力との間で切り替えると、音声レベルが大きく変化してしまう。
そこで、本発明は上記事情を考慮してなされたもので、Ｎチャンネルの再生出力と２チャンネルの再生出力との音声レベルの差が大きくなるのを抑制することが可能な音声ミキシング処理装置及び音声ミキシング処理方法を提供することを目的とする。
【課題を解決するための手段】
【０００６】
本発明に係る音声ミキシング処理装置は、Ｎチャンネルの音声データと、２チャンネルの音声データとを入力する入力手段と、入力手段により入力されたＮチャンネルの音声データと２チャンネルの音声データとをミックスして、ミックスされたＮチャンネルの音声データを出力するミキシング手段と、ミキシング手段から入力されたＮチャンネルの音声データから、ダウンミックスされ且つゲイン調整された２チャンネルの音声データを得て、該音声データを出力するダウンミックス手段と、を備えていることを特徴とする。
【０００７】
また、本発明に係る音声ミキシング処理装置は、Ｎチャンネルの音声データと、２チャンネルの音声データとを入力する入力手段と、入力手段により入力されたＮチャンネルの音声データと２チャンネルの音声データとをミックスして、ミックスされたＮチャンネルの音声データを出力する第１のミキシング手段と、入力手段により入力されたＮチャンネルの音声データから、ダウンミックスされ且つゲイン調整された２チャンネルの音声データを得て、該音声データを出力するダウンミックス手段と、入力手段により入力された２チャンネルの音声データとダウンミックス手段から入力されたダウンミックスされ且つゲイン調整された２チャンネルの音声データとをミックスして、ミックスされた２チャンネルの音声データを出力する第２のミキシング手段と、を備えていることを特徴とする。
【発明の効果】
【０００８】
本発明によれば、ミックスされたＮチャンネルの音声データと、ダウンミックスされ且つゲイン調整された２チャンネルの音声データとが出力されるので、Ｎチャンネルの再生出力と２チャンネルの再生出力との音声レベルの差が大きくなるのを抑制することが可能となる。
【発明を実施するための最良の形態】
【０００９】
以下、添付図面を参照して、本発明の好適な実施形態について詳細に説明する。なお、説明において、同一要素又は同一機能を有する要素には、同一符号を用いることとし、重複する説明は省略する。
【００１０】
まず、図１及び図２を参照して、再生装置としての光ディスク装置の構成を説明する。
図１は、本実施形態に係る光ディスク装置の構成を示すブロック図である。図２は、本実施形態に係る光ディスク装置のピックアップの構成を示す模式図である。光ディスク１１としては、ユーザデータを記録（または書き替え）可能な光ディスク、あるいは読み出し専用の光ディスクが対象となるが、本実施形態では記録（または書き替え）可能な次世代ＤＶＤを含む光ディスクとして説明を行なう。
【００１１】
記録または書き替え可能な光ディスク１１としては、例えば、波長４０５ｎｍ前後の青色系レーザ光を用いた次世代ＤＶＤ−ＲＡＭ（random access memory）、ＤＶＤ−ＲＷ（rewritable）、ＤＶＤ−Ｒ（recordable）等や、あるいは波長６５０ｎｍ前後の赤色系レーザ光を用いた現世代ＤＶＤ−ＲＡＭ、ＤＶＤ−ＲＷ、ＤＶＤ−Ｒ等がある。
【００１２】
光ディスク１１の表面には、スパイラル状にランドトラック及びグルーブトラックが形成されている。光ディスク１１は、スピンドルモータ１２によって回転駆動される。スピンドルモータ１２は、モータ制御回路１３によってその回転速度が制御されている。
【００１３】
光ディスク１１に対する情報の記録及び再生は、ピックアップ１４によって行なわれる。ピックアップ１４は、スレッドモータ１５とギアを介して連結されている。スレッドモータ１５は、データバス１６に接続されるスレッドモータドライバ１７により制御される。スレッドモータ１５の固定部には、図示しない永久磁石が設けられており、図示しない駆動コイルが励磁されることにより、ピックアップ１４が光ディスク１１の半径方向に移動する。
【００１４】
ピックアップ１４には、図２に示されるように、対物レンズ１８が設けられている。対物レンズ１８は、駆動コイル１９の駆動により、フォーカシング方向（レンズの光軸方向）への移動が可能である。また、対物レンズ１８は、駆動コイル２０の駆動により、トラッキング方向（レンズの光軸と直交する方向）への移動が可能である。ピックアップ１４では、レーザ光のビームスポットを移動することにより、トラックジャンプの操作を行なうことができる。
【００１５】
変調回路２１は、情報記録時にホスト装置２２からインタフェース回路２３を通して供給されるユーザデータから、ＥＦＭ（ＥＦＭ：eight to fourteen modulation）データを生成する。ＥＦＭデータは、ユーザデータを、例えば８−１４変調することにより生成される。レーザ制御回路２４は、情報記録時（マーク形成時）に、変調回路２１から供給されたＥＦＭデータに基づいて、書き込み用信号を半導体レーザダイオード２５に提供する。
【００１６】
レーザ制御回路２４は、情報読み取り時には、書き込み信号より小さい読み取り用信号を半導体レーザダイオード２５に提供する。
半導体レーザダイオード２５は、レーザ制御回路２４から供給される書き込み用信号に応じてレーザ光を発生する。半導体レーザダイオード２５から発せられるレーザ光は、コリメータレンズ２６、ハーフプリズム２７、光学系２８、対物レンズ１８を通して光ディスク１１上に照射される。光ディスク１１からの反射光は、対物レンズ１８、光学系２８、ハーフプリズム２７、集光レンズ２９を通して、光検出器３０に導かれる。
【００１７】
光検出器３０は４分割の光検出セルからなり、各光検出セルからの検出信号Ａ，Ｂ，Ｃ，ＤをＲＦ（radio frequency）アンプ３１にそれぞれ供給する。ＲＦアンプ３１は、トラッキングエラー信号ＴＥをトラッキング制御部３２に供給する。トラッキングエラー信号ＴＥは、例えば、プッシュプル方式に基づいて、（Ａ＋Ｄ）−（Ｂ＋Ｃ）から求めることができる。ＲＦアンプ３１は、フォーカスエラー信号ＦＥをフォーカシング制御部３３に供給する。フォーカスエラー信号ＦＥは、例えば、非点収差法に基づいて、（Ａ＋Ｃ）−（Ｂ＋Ｄ）から求めることができる。
【００１８】
ＲＦアンプ３１は、ウォブル信号ＷＢをウォブルＰＬＬ部／アドレス検出部３４に供給する。ウォブル信号ＷＢは、例えば、（Ａ＋Ｄ）−（Ｂ＋Ｃ）から求めることができる。ＲＦアンプ３１は、ＲＦ信号をデータ再生部３５に供給する。ＲＦ信号は、（Ａ＋Ｄ）＋（Ｂ＋Ｃ）から求めることができる。
【００１９】
フォーカシング制御部３３の出力信号は、フォーカシング方向の駆動コイル１９に供給される。これにより、レーザ光が光ディスク１１の記録膜上に常時ジャストフォーカスとなる制御がなされる。トラッキング制御部３２は、トラッキングエラー信号ＴＥに応じてトラック駆動信号を生成し、トラッキング方向の駆動コイル２０に供給している。
【００２０】
フォーカシング制御及びトラッキング制御がなされることで、光検出器３０の光検出セルからの出力信号の和であるＲＦ信号は、記録情報に対応して光ディスク１１のトラック上に形成されたピット等からの反射率の変化が反映される。ＲＦ信号は、データ再生部３５に供給される。
【００２１】
データ再生部３５は、ＰＬＬ回路３６からの再生用クロック信号に基づき、記録データを再生する。データ再生部３５は、ＲＦ信号の振幅を測定する機能を有している。ＲＦ信号の振幅の測定値は、ＣＰＵ（central processing unit）３７によって読み出される。
【００２２】
トラッキング制御部３２によって対物レンズ１８が制御されているとき、対物レンズ１８が光ディスク１１の最適位置となるように、スレッドモータ１５が制御される。これにより、ピックアップ１４が制御される。
【００２３】
モータ制御回路１３、レーザ制御回路２４、フォーカシング制御部３３、トラッキング制御部３２、データ再生部３５、ＰＬＬ回路３６等は、サーボ制御回路として１つのＬＳＩチップ内に構成することができる。
【００２４】
これらの回路部は、データバス１６を介してＣＰＵ３７によって制御される。ＣＰＵ３７は、インタフェース回路２３を介してホスト装置２２から提供される動作コマンド、または、後述する操作部からの操作情報に基づいて、この光ディスク装置を総合的に制御している。
【００２５】
ＣＰＵ３７は、ＲＡＭ３８を作業エリアとして使用し、ＲＯＭ（read only memory）３９に記録されたプログラムにしたがって所定の動作を行なう。
【００２６】
データ再生部３５で再生されたデータは、エラー訂正処理回路４０によってエラー訂正処理が施された後、映像、副映像（例えば、ＰｉｎＰ：Picture in Picture等）及び音声等の再生に供される。
【００２７】
エラー訂正処理が施された後の複数のデジタル音声データは、音声ミキシング処理部４１に供給されてミキシング処理され、この光ディスク装置の外部に出力可能となる。複数のデジタル音声データは、エンコードされたＮ（Ｎ≧３）チャンネルの音声データと、複数（本実施形態では、二つ）のエンコードされた２チャンネルの音声データとを含んでいる。Ｎチャンネルの音声データは、例えば、映像の主音源である。一つの２チャンネルの音声データは、例えば、副映像などの副音源である。もう一つの２チャンネルの音声データは、例えば、効果音である。
【００２８】
次に、図３を参照して、音声ミキシング処理部４１の構成について説明する。音声ミキシング処理部４１は、入力部５１と、処理部６１とを備えている。図３は、音声ミキシング処理部の構成を示すブロック図である。
【００２９】
入力部５１は、第１のデコード部５５と、複数（本実施形態では、二つ）の第２のデコード部５７ａ，５７ｂと、複数（本実施形態では、三つ）のサンプリング周波数変換部５９ａ，５９ｂ，５９ｃと、を備えている。上述したエンコードされたＮチャンネルの音声データと二つのエンコードされた２チャンネルの音声データとは、それぞれ、対応する音声入力端子５３ａ，５３ｂ，５３ｃに供給される。
【００３０】
音声入力端子５３ａに供給された音声データは、第１のデコード部５５に入力される。第１のデコード部５５は、入力されたエンコードされたＮチャンネルの音声データをデコードして、出力する。このとき、第１のデコード部５５は、エンコードされたＮチャンネルの音声データに含まれているゲイン調整情報を取得する。第１のデコード部５５は、取得したゲイン調整情報を処理部６１に出力する。
【００３１】
音声入力端子５３ｂ，５３ｃに供給された音声データは、それぞれ第２のデコード部５７ａ，５７ｂに入力される。第２のデコード部５７ａ，５７ｂは、入力されたエンコードされた２チャンネルの音声データをデコードして、出力する。
【００３２】
第１のデコード部５５及び第２のデコード部５７ａ，５７ｂから出力された各音声データは、対応するサンプリング周波数変換部５９ａ，５９ｂ，５９ｃにそれぞれ入力される。サンプリング周波数変換部５９ａ，５９ｂ，５９ｃは、第１及び第２のデコード部５５，５７ａ，５７ｂによりデコードされた各音声データのサンプリング周波数を所定のサンプリング周波数にそれぞれ変換する。これにより、第１及び第２のデコード部５５，５７ａ，５７ｂによりデコードされた各音声データのサンプリング周波数は、同一のサンプリング周波数に変換される。
【００３３】
デコードされ且つ同一のサンプリング周波数に変換された各音声データは、処理部６１に供給される。すなわち、入力部５１は、デコードされ且つ同一のサンプリング周波数に変換されたＮチャンネルの音声データと２チャンネルの音声データとを処理部６１に入力する。
【００３４】
処理部６１は、ミキシング部６３と、ダウンミックス処理部６５とを有している。
【００３５】
ミキシング部６３には、入力部５１から供給された各音声データが入力される。ミキシング部６３は、入力された各音声データに対し、所定のミキシング係数に基づいてミキシング処理を実行する。すなわち、ミキシング部６３は、Ｎチャンネルの音声データと二つの２チャンネルの音声データとを所定のミキシング係数に基づいてミックスして、これらの音声データをミックスしたＮチャンネルの音声データを出力する。
【００３６】
ミキシング部６３から出力されたＮチャンネルの音声データは、ダウンミックス処理部６５に入力される。ダウンミックス処理部６５は、ダウンミックス部６７と、ゲイン調整部６９とを有している。
【００３７】
ダウンミックス部６７は、ミキシング部６３から出力されたＮチャンネルの音声データを２チャンネルの音声データにダウンミックスして、ダウンミックスした２チャンネルの音声データを出力する。
【００３８】
ゲイン調整部６９は、第１のデコード部５５から出力されたゲイン調整情報に基づいて、ダウンミックス部６７から出力された２チャンネルの音声データのゲインを調整して、ゲイン調整した２チャンネルの音声データを出力する。ここで、ゲイン調整部６９は、２チャンネルの再生出力の音声レベルがＮチャンネルの再生出力の音声レベルと略同等になるように、２チャンネルの音声データのゲインを小さくするように調整する。
【００３９】
ダウンミックス処理部６５は、ダウンミックス部６７及びゲイン調整部６９を有することにより、ミキシング部６３から入力されたＮチャンネルの音声データから、ダウンミックスされ且つゲイン調整された２チャンネルの音声データを得て、この音声データを出力する。
【００４０】
これらから、処理部６１は、入力部５１により入力されたＮチャンネルの音声データと２チャンネルの音声データとから、ミックスされたＮチャンネルの音声データと、ダウンミックスされ且つゲイン調整された２チャンネルの音声データとを得て、これらの音声データを各音声出力端子７０ａ，７０ｂから出力する。
【００４１】
図４は、図３に示された音声ミキシング処理部の主要な動作を説明するためのフローチャートである。すなわち、処理が開始されると、光ディスク装置のＣＰＵ３７は、光ディスク１１の再生開始が要求されたか否かを判別する（ステップＳ１０１）。
【００４２】
再生が要求されたと判断された場合、ＣＰＵ３７は、光ディスク１１からエンコードされた各音声データ（Ｎチャンネルの音声データ、及び、二つの２チャンネルの音声データ）を取得し（ステップＳ１０２）、各デコード部５５，５７ａ，５７ｂにてそれぞれの音声データをデコードさせる（ステップＳ１０３）。また、ＣＰＵ３７は、第１のデコード部５５にてゲイン調整情報を取得させる（ステップＳ１０４）。光ディスク１１には、規格に基づいて、ゲイン調整情報がエンコードされた状態で記録されている。
【００４３】
そして、ＣＰＵ３７は、デコードされた各音声データのサンプリング周波数が同じか否かを判別する（ステップＳ１０５）。サンプリング周波数が同じでないと判断された場合、ＣＰＵ３７は、サンプリング周波数変換部５９ａ，５９ｂ，５９ｃにて各音声データのサンプリング周波数が同一になるように変換させる（ステップＳ１０６）。
【００４４】
サンプリング周波数が同一であると、ＣＰＵ３７は、ミキシング部６３にて各音声データ（Ｎチャンネルの音声データ、及び、二つの２チャンネルの音声データ）をミキシングさせる（ステップＳ１０７）。
【００４５】
そして、ＣＰＵ３７は、ミキシングされたＮチャンネルの音声データをダウンミックス部６７にて２チャンネルの音声データにダウンミックスさせる（ステップＳ１０８）。次に、ＣＰＵ３７は、第１のデコード部５５にて取得されたゲイン調整情報に基づいて、ダウンミックスされた２チャンネルの音声データのゲインをゲイン調整部６９にて調整させる（ステップＳ１０９）。
【００４６】
その後、ＣＰＵ３７は、ミキシングされたＮチャンネルの音声データとダウンミックスされ且つゲイン調整された２チャンネルの音声データとを、処理部６１から出力させる（ステップＳ１１０）。
【００４７】
以上のように、本実施形態によれば、音声ミキシング処理部４１から、ミックスされたＮチャンネルの音声データと、ダウンミックスされ且つゲイン調整された２チャンネルの音声データとが出力される。このため、ダウンミックスされた２チャンネルの音声データによる２チャンネルの再生出力の音声レベルと、Ｎチャンネルの音声データによるＮチャンネルの再生出力の音声レベルとの差が大きくなるのを抑制することができる。
【００４８】
図３に示されたダウンミックス処理部６５では、ゲイン調整部６９がダウンミックス部６７の後段に位置しているが、図５に示されるように、ゲイン調整部６９はダウンミックス部６７の前段に位置していてもよい。この場合、ゲイン調整部６９は、第１のデコード部５５から出力されたゲイン調整情報に基づいて、ミキシング部６３から出力されたＮチャンネルの音声データのゲインを調整して、ゲイン調整したＮチャンネルの音声データを出力する。ダウンミックス部６７は、ゲイン調整部６９から出力されたＮチャンネルの音声データを２チャンネルの音声データにダウンミックスして、ゲイン調整し且つダウンミックスした２チャンネルの音声データを出力する。
【００４９】
続いて、図６を参照して、音声ミキシング処理部４１の変形例の構成について説明する。図６は、音声ミキシング処理部の変形例の構成を示すブロック図である。図６に示された音声ミキシング処理部４１は、特に、処理部６１の構成に関して図３に示された音声ミキシング処理部４１と相違する。
【００５０】
音声ミキシング処理部４１の処理部６１は、ダウンミックス処理部７１と、第１のミキシング部８１と、第２のミキシング部８３とを有している。
【００５１】
ダウンミックス処理部７１は、ダウンミックス部７３と、ゲイン調整部７５と、サンプリング周波数変換部７７とを有している。
【００５２】
ダウンミックス部７３は、第１のデコード部５５から出力されたＮチャンネルの音声データを２チャンネルの音声データにダウンミックスして、ダウンミックスした２チャンネルの音声データを出力する。
【００５３】
ゲイン調整部７５は、第１のデコード部５５から出力されたゲイン調整情報に基づいて、ダウンミックス部７３から出力された２チャンネルの音声データのゲインを調整して、ゲイン調整した２チャンネルの音声データを出力する。
【００５４】
サンプリング周波数変換部７７は、サンプリング周波数変換部５９ａ，５９ｂ，５９ｃと同様に、ゲイン調整部７５から出力された２チャンネルの音声データのサンプリング周波数を所定のサンプリング周波数に変換する。これにより、第１及び第２のデコード部５５，５７ａ，５７ｂによりデコードされた各音声データと、ゲイン調整部７５によりゲイン調整された音声データとは、同一のサンプリング周波数に変換される。
【００５５】
ダウンミックス処理部７１は、ダウンミックス部７３及びゲイン調整部７５を有することにより、第１のデコード部５５から入力されたＮチャンネルの音声データから、ダウンミックスされ且つゲイン調整された２チャンネルの音声データを得て、この音声データを出力する。ダウンミックス処理部７１から出力される音声データのサンプリング周波数は、サンプリング周波数変換部７７により、第１のミキシング部８１及び第２のミキシング部８３に入力される各音声データと同じサンプリング周波数に変換されている。
【００５６】
第１のミキシング部８１には、ミキシング部６３と同じく、入力部５１から供給された各音声データ（Ｎチャンネルの音声データ、及び、二つの２チャンネルの音声データ）が入力される。第１のミキシング部８１は、入力された各音声データに対し、所定のミキシング係数に基づいてミキシング処理を実行する。すなわち、第１のミキシング部８１は、Ｎチャンネルの音声データと二つの２チャンネルの音声データとを所定のミキシング係数に基づいてミックスして、これらの音声データをミックスしたＮチャンネルの音声データを出力する。
【００５７】
第２のミキシング部８３には、入力部５１から供給された二つの２チャンネルの音声データと、ダウンミックス処理部７１から出力された２チャンネルの音声データとが入力される。第２のミキシング部８３は、入力された各音声データに対し、所定のミキシング係数に基づいてミキシング処理を実行する。すなわち、第２のミキシング部８３は、三つの２チャンネルの音声データを所定のミキシング係数に基づいてミックスして、これらの音声データをミックスした２チャンネルの音声データを出力する。
【００５８】
これらから、処理部６１は、入力部５１により入力されたＮチャンネルの音声データと２チャンネルの音声データとから、ミキシングされたＮチャンネルの音声データとミキシングされた２チャンネルの音声データとを得て、これらの音声データを各音声出力端子７０ａ，７０ｂから出力する。
【００５９】
図７は、図６に示された音声ミキシング処理部の主要な動作を説明するためのフローチャートである。すなわち、処理が開始されると、光ディスク装置のＣＰＵ３７は、光ディスク１１の再生開始が要求されたか否かを判別する（ステップＳ２０１）。
【００６０】
再生が要求されたと判断された場合、ＣＰＵ３７は、光ディスク１１からエンコードされた各音声データ（Ｎチャンネルの音声データ、及び、二つの２チャンネルの音声データ）を取得し（ステップＳ２０２）、各デコード部５５，５７ａ，５７ｂにてそれぞれの音声データをデコードさせる（ステップＳ２０３）。また、ＣＰＵ３７は、第１のデコード部５５にてゲイン調整情報を取得させる（ステップＳ２０４）。光ディスク１１には、規格に基づいて、ゲイン調整情報がエンコードされた状態で記録されている。
【００６１】
そして、ＣＰＵ３７は、デコードされた各音声データのサンプリング周波数が同じか否かを判別する（ステップＳ２０５）。サンプリング周波数が同じでないと判断された場合、ＣＰＵ３７は、サンプリング周波数変換部５９ａ，５９ｂ，５９ｃにて各音声データのサンプリング周波数が同一になるように変換させる（ステップＳ２０６）。
【００６２】
サンプリング周波数が同一であると、ＣＰＵ３７は、第１のミキシング部８１にて各音声データ（Ｎチャンネルの音声データ、及び、二つの２チャンネルの音声データ）をミキシングさせる（ステップＳ２０７）。
【００６３】
また、ＣＰＵ３７は、第１のデコード部５５によりデコードされたＮチャンネルの音声データをダウンミックス部７３にて２チャンネルの音声データにダウンミックスさせる（ステップＳ２０８）。次に、ＣＰＵ３７は、第１のデコード部５５にて取得されたゲイン調整情報に基づいて、ダウンミックスされた２チャンネルの音声データのゲインをゲイン調整部７５にて調整させる（ステップＳ２０９）。
【００６４】
ＣＰＵ３７は、ダウンミックスされ且つゲイン調整された２チャンネルの音声データのサンプリング周波数が他の音声データのサンプリング周波数と同じか否かを判別する（ステップＳ２１０）。サンプリング周波数が同じでないと判断された場合、ＣＰＵ３７は、ダウンミックスされ且つゲイン調整された２チャンネルの音声データのサンプリング周波数を他の音声データのサンプリング周波数と同一になるようにサンプリング周波数変換部７７にて変換させる（ステップＳ２１１）。
【００６５】
サンプリング周波数が同一であると、ＣＰＵ３７は、第２のミキシング部８３にて各音声データ（三つの２チャンネルの音声データ）をミキシングさせる（ステップＳ２１２）。
【００６６】
その後、ＣＰＵ３７は、ミキシングされたＮチャンネルの音声データと、ミキシングされた２チャンネルの音声データとを、処理部６１から出力させる（ステップＳ２１３）。
【００６７】
以上のように、図６及び図７に示された変形例においては、音声ミキシング処理部４１からミックスされたＮチャンネルの音声データと２チャンネルの音声データとが出力される。この２チャンネルの音声データは、ダウンミックスされ且つゲイン調整された２チャンネルの音声データと、２つの２チャンネルの音声データとをミキシングしたものである。このため、ダウンミックスされた２チャンネルの音声データによる２チャンネルの再生出力の音声レベルと、Ｎチャンネルの音声データによるＮチャンネルの再生出力の音声レベルとの差が大きくなるのを抑制することができる。
【００６８】
ところで、図３及び図４に示された実施形態では、第２のデコーダ部５７ａ，５７ｂから出力された２チャンネルの各音声データは、ゲイン調整部７５により、これらの音声データとは相関がないＮチャンネルの音声データに関するゲイン調整情報に基づいて結果的にゲイン調整されてしまう。このため、第２のデコード部５７ａ，５７ｂから出力された２チャンネルの音声データに対して、コンテンツ作成者が意図しないような音声レベルの低下を招いてしまうことがある。
【００６９】
これに対して、図６及び図７に示された変形例では、第２のデコード部５７ａ，５７ｂから出力された２チャンネルの音声データがゲイン調整部７５にてゲイン調整されることはない。このため、第２のデコード部５７ａ，５７ｂから出力された２チャンネルの音声データに対して、上述した意図しない音声レベルの低下を防ぐことができる。
【００７０】
図６に示されたダウンミックス処理部７１では、ゲイン調整部７５がダウンミックス部７３の後段に位置しているが、図８に示されるように、ゲイン調整部７５はダウンミックス部７３の前段に位置していてもよい。この場合、ゲイン調整部７５は、第１のデコード部５５から出力されたゲイン調整情報に基づいて、第１のデコード部５５から出力されたＮチャンネルの音声データのゲインを調整して、ゲイン調整したＮチャンネルの音声データを出力する。ダウンミックス部７３は、ゲイン調整部７５から出力されたＮチャンネルの音声データを２チャンネルの音声データにダウンミックスして、ゲイン調整し且つダウンミックスした２チャンネルの音声データを出力する。
【００７１】
続いて、図９を参照して、音声ミキシング処理部４１の更なる変形例の構成について説明する。図９は、音声ミキシング処理部の更なる変形例の構成を示すブロック図である。図９に示された音声ミキシング処理部４１は、特に、レベル調整部９１を有している点で、図６に示された音声ミキシング処理部４１と相違する。
【００７２】
音声ミキシング処理部４１の処理部６１は、ダウンミックス処理部７１と、第１のミキシング部８１と、第２のミキシング部８３と、複数のレベル調整部９１とを有している。
【００７３】
レベル調整部９１は、第１及び第２のミキシング部８１，８３の前段に位置している。レベル調整部９１は、ユーザにより操作される操作部（不図示）からの操作信号に基づいて、第１及び第２のミキシング部８１，８３に入力される各音声データの音声レベルを調整する。これにより、レベル調整部９１において、第１及び第２のミキシング部８１，８３に入力される各音声データの音声レベルが、ユーザの操作に基づいて調整される。レベル調整部９１では、各音声データに対し、音声ミュートやボリュームの上げ下げを調整することができる。レベル調整部９１により、各音声データに対して、ユーザが好みの音声レベルを設定することができる。
【００７４】
以上、本発明の好適な実施形態について説明してきたが、本発明は必ずしも上述した実施形態に限定されるものではなく、その要旨を逸脱しない範囲で様々な変更が可能である。
【図面の簡単な説明】
【００７５】
【図１】本実施形態に係る光ディスク装置の構成を示すブロック図である。
【図２】本実施形態に係る光ディスク装置のピックアップの構成を示す模式図である。
【図３】音声ミキシング処理部の構成を示すブロック図である。
【図４】図３に示された音声ミキシング処理部の主要な動作を説明するためのフローチャートを示している。
【図５】音声ミキシング処理部の変形例の構成を示すブロック図である。
【図６】音声ミキシング処理部の変形例の構成を示すブロック図である。
【図７】図６に示された音声ミキシング処理部の主要な動作を説明するためのフローチャートを示している。
【図８】音声ミキシング処理部の変形例の構成を示すブロック図である。
【図９】音声ミキシング処理部の変形例の構成を示すブロック図である。
【符号の説明】
【００７６】
４１…音声ミキシング処理部、５１…入力部、５５…第１のデコード部、５７ａ，５７ｂ…第２のデコーダ部、５９ａ，５９ｂ，５９ｃ，７７…サンプリング周波数変換部、６１…処理部、６３…ミキシング部、６５，７１…ダウンミックス処理部、６７，７３…ダウンミックス部、６９，７５…ゲイン調整部、８１…第１のミキシング部、８３…第２のミキシング部、９１…レベル調整部。
【図１】
2008092072.tif 000003
【図２】
2008092072.tif 000004
【図３】
2008092072.tif 000005
【図４】
2008092072.tif 000006
【図５】
2008092072.tif 000007
【図６】
2008092072.tif 000008
【図７】
2008092072.tif 000009
【図８】
2008092072.tif 000010
【図９】
2008092072.tif 000011